(57)【要約】【課題】第１に、各種バリエーションを楽しむことができ、第２に、簡単容易に着脱可能であり、第３に、収納スペースが削減されると共に、第４に、健康増進にも役立つ、履物を提案する。【解決手段】この履物１は、本底２の後部６下に、踵ヒール部７が配されている。そして踵ヒール部７は、本底２の後部６に対し磁力にて着脱可能であり、各種異なるタイプのものの中から、選択使用される。すなわち、本底２の後部６の下面と、踵ヒール部７の上面とについて、対応する嵌合凹凸８，９が形成されると共に、マグネットよりなる磁性体Ａが、埋め込み付設されている。嵌合凹凸８，９は、一方が有底短筒状をなし、他方が短柱状をなし、両者が、上下に嵌合可能となっている。更に本底２は、つま先部５が、前後に着脱可能であり、各種異なるタイプのものの中から、選択使用される。【選択図】図１
2006247243.tif 000002
【特許請求の範囲】
【請求項１】
本底の後部下に、踵ヒール部が配された履物において、該踵ヒール部は、該本底の後部に対し磁力にて着脱可能であると共に、各種異なるタイプのものの中から選択使用されること、を特徴とする履物。
【請求項２】
該本底の後部の下面と、該踵ヒール部の上面とについて、対応する嵌合凹凸が形成されると共に、少なくとも一方がマグネットよりなる磁性体が、付設されていること、を特徴とする、請求項１に記載した履物。
【請求項３】
該嵌合凹凸は、一方が有底短筒状をなし、他方が短柱状をなし、両者が上下に嵌合可能であると共に、該磁性体が、一方の該嵌合凹凸と他方の該嵌合凹凸に、埋め込まれていること、を特徴とする、請求項２に記載した履物。
【請求項４】
該本底は、つま先部が、前後に着脱可能であると共に、各種異なるタイプのものの中から選択使用されること、を特徴とする、請求項３に記載した履物。
【請求項５】
該つま先部は、偏平な嵌入穴を備えており、該嵌入穴は、該本底の本体から突設された嵌入片が、前後に嵌入可能な形状よりなり、
かつ、該嵌入穴と該嵌入片との間に、弾性材付きの突起と、該突起を係入ロック可能な凹部とが、付設されていること、を特徴とする、請求項４に記載した履物。
【発明の詳細な説明】
【技術分野】
【０００１】
本発明は、履物に関する。すなわち、婦人靴，紳士靴，ブーツ，各種シューズ，ハイヒール，ズック，サンダル、等々の履物に関するものである。
【背景技術】
【０００２】
《技術的背景１について》
この種の履物は、本底の上部に、甲被や甲バンドが配され、本底の前部につま先部を備え、本底の後部下に踵ヒール部を備えている。
そして、この種の履物は、従来、これら各部が一体化された、一体構造よりなっていた。例えば、踵ヒール部は、本底の後部下に、釘，ビス，ネジ，接着剤等を用いて一体的に固着されるか、本底と一体成形されていた。
すなわち、製造段階において、これら各部が本底に一体化されており、ユーザー段階において、各部に分離，分解，着脱することは、極めて困難であった。
【０００３】
《技術的背景２について》
マグネットが、人体に好影響を及ぼすことは、広く知られている。すなわち、マグネットから放射される磁気の磁力作用により、血行が促進され、健康に良い効用を発揮することは、周知のとおりである。
そこで、首，肩，腕等に、マグネットのリングやループを掛けて装着する、磁気治療具や健康具が、各種市販され使用されている。なお、皮膚に直接貼り付けるマグネットも市販されているが、使用に際しカブレや湿疹の原因となる、という難点がある。
【発明の開示】
【発明が解決しようとする課題】
【０００４】
ところで、このような従来例については、次の問題が指摘されていた。
《第１の問題点について》
第１に、前述したように従来のこの種の履物は、各部が一体化された一体構造よりなっていたので、その１足について、ユーザーが他のタイプへの変化を楽しむことはできなかった。
すなわち、１足の履物毎に、デザイン，模様，柄，色彩，素材，高さ寸法，形状等のタイプが、トータル的に固定されており、これらを（部分的であっても）変更使用することはできなかった。これらの組み合わせを、部分的に変更したり交換することは、ユーザー段階では不可能であり、バリエーションに乏しかった。
履物は、ファッション性やお洒落感が重視される品物であり、バリエーション性向上が望まれていた。
【０００５】
《第２の問題点について》
第２に、この種従来の履物において、特に踵ヒール部は、本底の後部下に釘，ビス，ネジ，接着剤等にて固定されるか、本底と一体成形されており、その分離，分解，着脱は容易でなかった。
【０００６】
《第３の問題点について》
第３に、履物は不使用時において、いわゆる下駄箱等に収納されるが、収納スペースを取る、という指摘があった。
すなわち、１足毎に相応の収納スペースを要し、履物の収納スペースは、周知のとおり直ぐに一杯になり易い。特に、前述したようにファッション性やお洒落感に鑑み、バリエーション性向上のため、各種タイプの履物を多数足揃えると、収納スペースが足りなくなる、という問題が指摘されていた。
【０００７】
《第４の問題点について》
第４に、前述したように、マグネットの磁力作用に鑑み、マグネットのリングやループを、首，肩，腕等に掛けて使用することが行われているが、足の裏については、場所的に使用困難として放置されていた。
すなわち足の裏は、第２の心臓とも称され、健康増進のポイントと目されているが、これに対してリングやループは使用困難であり、適当な装着具も開発されておらず、マグネットは利用されていなかった。
【０００８】
《本発明について》
本発明の履物は、このような実情に鑑み、上記従来例の課題を解決すべく、発明者の鋭意研究努力の結果なされたものである。
そして本発明は、第１に、各種バリエーションを楽しむことができ、第２に、簡単容易に着脱可能であり、第３に、収納スペースが削減されると共に、第４に、健康増進にも役立つ、履物を提案することを目的とする。
【課題を解決するための手段】
【０００９】
《各請求項について》
このような課題を解決する本発明の技術的手段は、次のとおりである。
まず、請求項１については次のとおり。請求項１の履物は、本底の後部下に、踵ヒール部が配されている。そして該踵ヒール部は、該本底の後部に対し、磁力にて着脱可能であると共に、各種異なるタイプのものの中から、選択使用されること、を特徴とする。
請求項２については次のとおり。請求項２の履物は、請求項１において、該本底の後部の下面と、該踵ヒール部の上面とについて、対応する嵌合凹凸が形成されている。これと共に、少なくとも一方がマグネットよりなる磁性体が、付設されていること、を特徴とする。
請求項３については次のとおり。請求項３の履物は、請求項２において、該嵌合凹凸は、一方が有底短筒状をなし、他方が短柱状をなし、両者が、上下に嵌合可能である。これと共に該磁性体が、一方の該嵌合凹凸と他方の該嵌合凹凸に、埋め込まれていること、を特徴とする。
請求項４については次のとおり。請求項４の履物は、請求項３において、該本底は、つま先部が、前後に着脱可能であると共に、各種異なるタイプのものの中から選択使用されること、を特徴とする。
請求項５については次のとおり。請求項５の履物は、請求項４において、該つま先部は、偏平な嵌入穴を備えており、該嵌入穴は、該本底の本体から突設された嵌入片が、前後に嵌入可能な形状よりなる。
かつ、該嵌入穴と該嵌入片との間に、弾性材付きの突起と、該突起を係入ロック可能な凹部とが、付設されていること、を特徴とする。
【００１０】
《作用について》
（１）本発明に係る履物では、このように、本底の後部下に対し、各種タイプのバリエーションに富んだ踵ヒール部が、マグネットの磁力にて簡単容易に着脱可能である。
（２）そして、本底の後部の下面と踵ヒール部の上面について、このような磁力を生じる磁性体を、対をなす嵌合凹凸と共に用いてなる。そこで、踵ヒール部の着脱、特に踵ヒール部の装着が、確実に実現される。
（３）更に本底に対し、各種タイプのバリエーションに富んだつま先部を、嵌入穴への嵌入片の嵌入と、突起の凹部への係入ロックにより、着脱可能としてなる。
（４）又、本底の後部と踵ヒール部の磁性体の磁力作用により、足の裏の血行が促進される。
（５）さてそこで、本発明の履物は、次の効果を発揮する。
【発明の効果】
【００１１】
《第１の効果》
第１に、各種のバリエーションを、楽しむことができる。すなわち、本発明の履物は、踵ヒール部やつま先部を、各種の異なるタイプのものの中から、自在に選択使用可能である。
すなわち、デザイン，模様，柄，色彩，素材，高さ寸法，形状等について、それぞれタイプが（いずれか、又はいくつか、更にはすべて）異なり、もってバリエーションに富んだ踵ヒール部やつま先部を、その時のファッションやお洒落感により、好みによって変更，交換，組み合わせて、使用することができる。
特に、踵ヒール部とつま先部のデザイン，模様，柄，色彩，素材，高さ寸法，形状等を、マッチさせつつ変更，交換すると、よりインパクトが強く効果的・印象的である。
前述したこの種従来例の履物が、１足毎の一体構造よりなり、タイプが固定されていたのに比し、バリエーション展開を楽しむことができる。そして、ファッション性やお洒落感が重視される履物において、そのメリットは大きい。
【００１２】
《第２の効果》
第２に、しかも簡単容易に取り扱い易く、これらが実現される。すなわち、本発明の履物では、まず、各種タイプの踵ヒール部が、本底の後部下に対し、マグネットの磁力にて着脱可能となっている。
そこで、手先で踵ヒール部を本底の後部下に位置決めするだけで、特に、嵌合凹凸にガイドされて位置決めするだけで、簡単容易に、踵ヒール部を装着することができる。又、手先で磁力に勝る引張力を加えることにより、簡単容易に、踵ヒール部を分離，離脱，交換できる。
更に、つま先部も着脱可能とすることができ、手先で嵌入穴に嵌入片を嵌入すると共に、突起を凹部に弾性材を利用して係入ロックすることにより、簡単容易に装着することができる。又、手先で引張り出すことにより、簡単容易に、つま先部を分離，離脱，交換できる。
【００１３】
《第３の効果》
第３に、収納スペースが削減される。すなわち、本発明の履物は、踵ヒール部やつま先部が、着脱可能となっている。
そこで不使用時は、各種タイプの踵ヒール部やつま先部は、すべて履物から外して重ねて収納でき、収納スペースを取らない。前述したこの種従来例のように、バリエーション性向上のため、各種タイプの履物を多数揃えておくのに比し、１足の履物で各種バリエーションを楽しむことができると共に、各種バリエーション展開用の各踵ヒール部やつま先部は、場所を取らず収納可能である。
【００１４】
《第４の効果》
第４に、これと共に、健康増進にも効果的である。すなわち、本発明の履物を使用すると、踵ヒール部と本底の後部間のマグネットから放射される磁気の磁力作用により、足の裏の血行が促進される。
第２の心臓とも称され、健康増進のポイントと目される足の裏について、前述したこの種従来例のように、効用に優れたマグネットを場所的に使用困難とされることなく、又、直接貼り付けた場合のように皮膚にカブレや湿疹を生じる虞もなく、マグネットが適用されるようになる。このように、この履物は、磁気治療具や健康具としても優れている。
このように、この種従来例に存した課題がすべて解決される等、本発明の発揮する効果は、顕著にして大なるものがある。
【発明を実施するための最良の形態】
【００１５】
《図面について》
以下、本発明の履物を、図面に示した発明を実施するための最良の形態に基づいて、詳細に説明する。図１，図２は、本発明を実施するための最良の形態の説明に供する。
そして、図１は斜視説明図であり、（１）図は、第１例を示す。（２）図は、第２例を示し、（３）図は、同第２例において、つま先部を分離した状態を示す。（４）図は、その踵ヒール部の１例を示し、（５）図は、踵ヒール部の他の例を示す。
図２は側面説明図であり、（１）図は、第３例を示す。（２）図，（３）図，（４）図，（５）図，（６）図，（７）図は、その踵ヒール部の各例を示す。
【００１６】
《履物１について》
まず、図１，図２を参照して、履物１の概略について説明する。この履物１は、本底２の上部に、甲被３や甲バンド４が配設されると共に、本底２の前部に、接地用のつま先部５を備え、本底２の後部６下に、接地用の踵ヒール部７を備えている。
本底２（アウトソール，ヒールベース）の上面は、中底（インソール）や上底で覆われていることが多い。これらには、天然皮革，合成皮革，硬質ゴム，アクリル，その他の合成樹脂，硬質紙，木等の素材が、適宜選択使用される。甲被３（アッパー），甲バンド４，踵ヒール部７等も、これに準じる。
このような履物１としては、婦人靴，紳士靴，ブーツ，各種シューズ，ハイヒール，ズック，サンダル等が、代表的である。
履物１は、概略このようになっている。
【００１７】
《本発明の概要について》
以下、本発明の履物１について、図１，図２を参照して説明する。本底２の後部６下に、踵ヒール部７が配された履物１において、本発明では、踵ヒール部７が、本底２の後部６に対し磁力にて上下に着脱可能であると共に、各種異なるタイプのものの中から選択使用されるようになっている。
すなわち、本底２の後部６の下面と、踵ヒール部７の上面とについて、対応する嵌合凹凸８，９が形成されると共に、それぞれ磁性体Ａが付設されており、磁性体Ａは、一方又は両方がマグネットよりなる。
そして嵌合凹凸８，９は、一方の嵌合凹凸８が有底短筒状をなし、他方の嵌合凹凸９が短柱状をなし、両者が上下で密に嵌合可能であると共に、磁性体Ａが、一方の嵌合凹凸８の底面と他方嵌合凹凸８，９の頂面とに、埋め込まれている。
本発明は、概略このようになっている。
【００１８】
《嵌合凹凸８，９について》
このような本発明について、更に詳述する。まず、嵌合凹凸８，９について、説明する。履物１の本底２の後部６の下面と、踵ヒール部７の上面には、１対の嵌合凹凸８，９が、対応して形成されている。
図１に示した例では、本底２後部６側に、有底短筒状をなす嵌合凹凸８が、開口を下に向けて垂下形成され、踵ヒール部７側に、短柱状をなす嵌合凹凸９が、上に向け立設形成されている。逆に、図２に示した例では、本底２後部６側に、短柱状をなす嵌合凹凸９が、下に向け垂下形成され、踵ヒール部７側に、有底短筒状をなす嵌合凹凸８が、開口を上に向けて立設形成されている。
そして、この有底短筒状をなす嵌合凹凸８は、肉厚の外周壁と、外周壁にて囲まれた円形，角形，その他の形状の浅い空間と、空間の底面（図１の例では上面となる）と、空間の開口面（図１の例では下側）を、備えている。
短柱状をなす嵌合凹凸９は、踵ヒール部７上面の中央部又は本底２後部６の下面の中央部から、円形，角形，その他の形状にて、浅い柱状に突設されている。
そして、このような有底短筒状をなす嵌合凹凸８と、短柱状をなす嵌合凹凸９とは、上下で密に嵌合する形状，寸法に設定されている。つまり、嵌合凹凸８の空間に、嵌合凹凸９の柱が、上下で嵌り合う形状設定よりなる。
なお、嵌合凹凸８，９は、図１，図２の図示例のもの、つまり有底短筒形状と短柱形状との組み合わせに限定されるものではなく、その他各種形状のものが可能である。例えば、直交クロスして形成された溝と突起の組み合わせや、シグザグ形成された溝と突起の組み合わせ等々、も考えられる。
嵌合凹凸８，９は、このようになっている。
【００１９】
《磁性体Ａについて》
次に、磁性体Ａについて、説明する。履物１の本底２の後部６の下面と、踵ヒール部７の上面には、磁性体Ａが、埋め込み等により付設されており、磁性体Ａの一方又は両方は、マグネットよりなる。
すなわち、対峙位置する両磁性体Ａは、例えば、異種磁極のマグネット製とされ、一方の磁性体Ａは、磁極がＮ極に磁化されたマグネットとし、他方の磁性体Ａは、磁極がＳ極に磁化されたマグネットとする。これによらず、一方の磁性体Ａを、マグネットとすると共に、他方の磁性体Ａを、鉄，ニッケル，コバルト等の強磁性体，その他の磁性体、つまり磁界中で磁化されて磁極を生じる金属等としてもよい。いずれにしても、両磁性体Ａ間には、磁力として吸引力が作用する。
図１，図２の例では、このような両磁性体Ａが、有底短筒状をなす嵌合凹凸８の底面（図１の例では上面、図２の例では下面）と、短柱状をなす嵌合凹凸９の頂面（図１の例では上面、図２の例では下面）とに、対応してそれぞれ埋め込まれている。
勿論、上記底面や頂面の隣接部分、例えば、嵌合凹凸８の外周壁や、嵌合凹凸９の短柱状全体に、磁性体Ａを埋め込むようにしてもよい。又、図１，図２の例以外の嵌合凹凸８，９が採用される場合は、これに準じ、その嵌合凹凸８，９の面，全体，隣接部分等について、磁性体Ａが埋め込まれる。
磁性体Ａは、このようになっている。
【００２０】
《つま先部５等について》
次に、つま先部５等について、図１の（１）図，（２）図，（３）図等を参照して説明する。図１の例において、履物１の本底２は、つま先部５が、前後に着脱可能であると共に、各種異なるタイプのものの中から選択使用されるようになっている。
すなわち、つま先部５は、偏平な嵌入穴１０を備えており、嵌入穴１０は、本底２の本体から突設された嵌入片１１が、前後に密に嵌入可能な形状よりなる。
これと共に、嵌入穴１０と嵌入片１１との間に、弾性材付きの突起１２と、突起１２を係入ロック可能な凹部１３とが、付設されている。
【００２１】
これらについて、更に詳述する。この履物１において、つま先部５は、本底２の本体とは別体構成とされており、本底２中央部の土踏まず部１４とは別体構成で、着脱可能となっている。なお、本底２上に中底や上底が配設される場合も、同様であり、中底や上底付のつま先部５が、中底や上底付の本底２本体に対し、着脱可能となっている。
そして、本底２のつま先部５は、内部に偏平な嵌入穴１０が、全体的に形成されており、嵌入穴１０の後端は開放されている。これと共に、本底２の本体の土踏まず部１４からは、薄い肉厚の嵌入片１１が前方に向け突設されている。この嵌入穴１０は、嵌入片１１が密に挿入，嵌合可能な形状よりなる。
【００２２】
又、図示例では嵌入片１１の両側に、弾性材（図示せず）付きの突起１２が付設されており、対応して、嵌入穴１０の両側に、この嵌入片１１側の突起１２を係入ロック可能な形状の凹部１３が、付設されている（図１の（３）図を参照）。
突起１２は、スプリング等の弾性材が、内部等に介装されている。そして突起１２は、嵌入片１１の嵌入穴１０への挿入に際し、弾性材の弾性により、邪魔にならないように一時的に嵌入片１１内部側に没入，収納される。そして突起１２は、凹部１３に対峙位置すると、弾性材の弾性により、凹部１３側内に係入されて係止され、もって嵌入片１１が嵌入穴１０内にてロックされる。
又、嵌入片１１を嵌入穴１０から出す場合は、弾性材の弾性力に抗しつつ、嵌入片１１を引張ることにより、係止ロックは解放される。
なお、本底２の本体側の嵌入片１１を、つま先部５側の嵌入穴１０に対し、着脱させる方式については、図示例の突起１２と凹部１３の組み合わせ以外にも、周知の技術方式を各種採用可能である。又、図示例とは逆に、嵌入片１１側に凹部１３を設けると共に、嵌入穴１０側に突起１２を設けることも、勿論可能である。
つま先部５等は、このようになっている。
【００２３】
《作用等》
本発明の履物１は、以上説明したように構成されている。そこで、以下のようになる。
（１）この履物１は、図１，図２に示したように、本底２の後部６下に対し、デザイン，模様，柄，色彩，素材，高さ寸法等が異なり、バリエーションに富んだ各種タイプの踵ヒール部７を、マグネットを備えた磁性体Ａの磁力の吸引力を利用して、自在に選択的に着脱可能である。
例えば、図１の（４）図，（５）図に示したように、それぞれ形状の異なる踵ヒール部７や、図２の（２）図，（３）図，（４）図に示したように、それぞれ高さ寸法の異なる踵ヒール部７や、図２の（５）図，（６）図，（７）図に示したように、それぞれ模様や柄の異なる踵ヒール部７を、自在に選択でき、もって自由に変更，交換して楽しむことができる。
なお、磁力を利用するので、このような踵ヒール部７の着脱は、簡単容易であり、取り扱い性にも優れている。
【００２４】
（２）そして、図１の（１）図，（２）図，図２の（１）図等に示したように、このような磁力を生じる磁性体Ａを、対をなす嵌合凹凸８，９と共に用いたことにより、踵ヒール部７の着脱、特に踵ヒール部７の装着が確実に実現される。
すなわち、磁性体Ａの磁力の吸引力にて、本底２の後部６下に装着，固定された踵ヒール部７は、嵌合凹凸８，９間の密嵌合により、水平方向全方向に係止されるので、ガタ付きなく安定的に装着，固定される。
【００２５】
（３）更に、図１の（１）図，（２）図，（３）図に示したように、この履物１は、本底２に対し、デザイン，模様，柄，色彩，素材，高さ寸法等が異なり、バリエーションに富んだ各種タイプつま先部５を、嵌入穴１０への嵌入片１１の挿入，嵌入と、突起１２の凹部１３への係入，ロック，解除等により、着脱可能となっている。
なお、このような挿入，係入，ロック，解除等により、つま先部５の着脱は簡単容易であり、取り扱い性にも優れている。
【００２６】
（４）又、図１の（１）図に示したように、この履物１では、本底２の後部６や踵ヒール部７に、マグネット製の磁性体Ａが付設されており、もって磁性体Ａから放射される磁気の磁力作用により、足の裏Ｂの血行が促進される。
【００２７】
（５）なお、図２の（３）図，（４）図中、１５は収納空間である。この収納空間１５は、高さ寸法の大きい踵ヒール部７について、蓋付で内部に形成され、小物グッズＣを収納可能となっている。
例えば、歩数計，発音体，発光体等を収納可能であり、発光体は、踵ヒール部７が透明体よりなる場合に使用すると、効果的である。又、この発音体や発光体は、歩調ステップに合わせてオン・オフする設定としておくと、趣味感が増進される。
【図面の簡単な説明】
【００２８】
【図１】本発明に係る履物について、発明を実施するための最良の形態の説明に供し、斜視説明図であり、（１）図は、第１例を示す。（２）図は、第２例を示し、（３）図は、同第２例において、つま先部を分離した状態を示す。（４）図は、その踵ヒール部の１例を示し、（５）図は、踵ヒール部の他の例を示す。
【図２】同発明を実施するための最良の形態の説明に供し、側面説明図であり、（１）図は、第３例を示す。（２）図，（３）図，（４）図，（５）図，（６）図，（７）図は、その踵ヒール部の各例を示す。
【符号の説明】
【００２９】
１  履物
２  本底
３  甲被
４  甲バンド
５  つま先部
６  後部
７  踵ヒール部
８  嵌合凹凸（一方）
９  嵌合凹凸（他方）
１０  嵌入穴
１１  嵌入片
１２  突起
１３  凹部
１４  土踏まず部
１５  収納空間
Ａ  磁性体
Ｂ  足の裏
Ｃ  小物グッズ
【図１】
2006247243.tif 000003
【図２】
2006247243.tif 000004